(57)【要約】【課題】粘度指数が高く、かつ、増粘性に優れた潤滑油用粘度調整剤および該潤滑油用粘度調整剤を含む潤滑油組成物を提供すること。【解決手段】下記（ｘ−１）〜（ｘ−４）の特性を有するエチレン・α−オレフィン共重合体（Ｘ）を含むことを特徴とする潤滑油用粘度調整剤：（ｘ−１）エチレン由来の構成単位の含有割合が５０〜９９モル％の範囲である；（ｘ−２）α−オレフィンが炭素数３〜２０のオレフィンである；（ｘ−３）示差走査型熱量計で測定した融点（Ｔｍ：℃）が６５℃〜８０℃である；（ｘ−４）１３５℃のデカリン中で測定した極限粘度［η］が０．０１〜５．０ｄｌ／ｇである。【選択図】なし【特許請求の範囲】
【請求項１】
下記（ｘ−１）〜（ｘ−４）の特性を有するエチレン・α−オレフィン共重合体（Ｘ）を含むことを特徴とする潤滑油用粘度調整剤：
（ｘ−１）エチレン由来の構成単位の含有割合が５０〜９９モル％の範囲である；
（ｘ−２）α−オレフィンが炭素数３〜２０のオレフィンである；
（ｘ−３）示差走査型熱量計で測定した融点（Ｔｍ：℃）が６５℃〜８０℃である；
（ｘ−４）１３５℃のデカリン中で測定した極限粘度［η］が０．０１〜５．０ｄｌ／ｇである。
【請求項２】
前記エチレン・α−オレフィン共重合体（Ｘ）を１〜１００質量％の範囲で含むことを特徴とする請求項１に記載の潤滑油用粘度調整剤。
【請求項３】
前記エチレン・α−オレフィン共重合体（Ｘ）のα−オレフィンがプロピレンであることを特徴とする請求項１または２に記載の潤滑油用粘度調整剤。
【請求項４】
請求項１〜３のいずれか１項に記載の潤滑油用粘度調整剤と、潤滑油基油（Ｙ）とを含有し、かつ、前記エチレン・α−オレフィン共重合体（Ｘ）を０．０１〜２０質量％の範囲で含むことを特徴とする潤滑油組成物。
【発明の詳細な説明】
【技術分野】
【０００１】
本発明は、潤滑油用粘度調整剤および潤滑油組成物に関する。
【背景技術】
【０００２】
石油製品は、一般に温度が変わると粘度が大きく変化する、いわゆる粘度の温度依存性を有する。例えば、自動車に用いられる潤滑油では、粘度の温度依存性が小さい（すなわち、粘度指数が高い）ことが好ましい。そこで潤滑油には、粘度の温度依存性を小さくする目的で、潤滑油基油に可溶なある種のポリマーが粘度調整剤（粘度指数向上剤ともいう）として用いられている。
【０００３】
潤滑油用粘度調整剤としてはエチレン・α−オレフィン共重合体が広く用いられており、潤滑油の性能バランスをさらに改善するため種々の改良がなされている（例えば、特許文献１参照）。
【０００４】
近年、自動車への環境負荷低減要求が高まる中で、自動車の燃費向上が強く求められている。特にエンジン油による省燃費化の一つの方策として、低温から高温の幅広い温度範囲における粘性抵抗の低減が挙げられる。
【０００５】
エンジン油の粘性抵抗の低減のためには、低粘度化が有効である。特に低温においては、摩擦損失および攪拌損失の両者の低減において有効である。一方で、高温においては、摺動部で磨耗が生じるため、単なる低粘度化は避けなければならない。そのため、粘度指数が高く、かつ、増粘性に優れた潤滑油用粘度調整剤が求められている。
【先行技術文献】
【特許文献】
【０００６】
【特許文献１】国際公開第２００６/１０１２０６号
【発明の概要】
【発明が解決しようとする課題】
【０００７】
本発明の課題は、粘度指数が高く、かつ、増粘性に優れた潤滑油用粘度調整剤および該潤滑油用粘度調整剤を含む潤滑油組成物を提供することにある。
【課題を解決するための手段】
【０００８】
本発明者らは、潤滑油組成物の高粘度指数化を達成するためには、高温（例えば１００℃）で分子鎖が広がり、低温（例えば４０℃）では収縮する構造を有するポリマーを用いることが望ましいと考え、前記課題を解決すべく鋭意検討を行った。その結果、高結晶性を有する特定のポリマーを用いることで、結晶化により低温でのポリマーの凝集力が高まることにより、前記課題を解決できることを見出し、本発明を完成するに至った。本発明は、例えば以下の［１］〜［４］に関する。
【０００９】
［１］  下記（ｘ−１）〜（ｘ−４）の特性を有するエチレン・α−オレフィン共重合体（Ｘ）を含むことを特徴とする潤滑油用粘度調整剤：
（ｘ−１）エチレン由来の構成単位の含有割合が５０〜９９モル％の範囲である；
（ｘ−２）α−オレフィンが炭素数３〜２０のオレフィンである；
（ｘ−３）示差走査型熱量計で測定した融点（Ｔｍ：℃）が６５℃〜８０℃である；
（ｘ−４）１３５℃のデカリン中で測定した極限粘度［η］が０．０１〜５．０ｄｌ／ｇである。
【００１０】
［２］  前記エチレン・α−オレフィン共重合体（Ｘ）を１〜１００質量％の範囲で含むことを特徴とする項［１］に記載の潤滑油用粘度調整剤。
［３］  前記エチレン・α−オレフィン共重合体（Ｘ）のα−オレフィンがプロピレンであることを特徴とする項［１］または［２］に記載の潤滑油用粘度調整剤。
【００１１】
［４］  項［１］〜［３］のいずれか１項に記載の潤滑油用粘度調整剤と、潤滑油基油（Ｙ）とを含有し、かつ、前記エチレン・α−オレフィン共重合体（Ｘ）を０．０１〜２０質量％の範囲で含むことを特徴とする潤滑油組成物。
【発明の効果】
【００１２】
本発明によれば、粘度指数が高く、かつ、増粘性に優れた潤滑油用粘度調整剤および該潤滑油用粘度調整剤を含む潤滑油組成物を提供することができる。
【発明を実施するための形態】
【００１３】
以下、本発明について詳細に説明する。
［潤滑油用粘度調整剤］
本発明の潤滑油用粘度調整剤は、下記（ｘ−１）〜（ｘ−４）の特性を有するエチレン・α−オレフィン共重合体（Ｘ）（以下、単に「共重合体（Ｘ）」ともいう。）を含むことを特徴とする。
（ｘ−１）エチレン由来の構成単位の含有割合が５０〜９９モル％の範囲である。
（ｘ−２）α−オレフィンが炭素数３〜２０のオレフィンである。
（ｘ−３）示差走査型熱量計で測定した融点（Ｔｍ：℃）が６５℃〜８０℃である。
（ｘ−４）１３５℃のデカリン中で測定した極限粘度［η］が０．０１〜５．０ｄｌ／ｇである。
【００１４】
前記共重合体（Ｘ）は１種または２種以上用いることができる。本発明の潤滑油用粘度調整剤における前記共重合体（Ｘ）の含有割合は、通常は１〜１００質量％、好ましくは１０〜１００質量％、より好ましくは５０〜１００質量％である。
【００１５】
本発明の潤滑油用粘度調整剤は、前記共重合体（Ｘ）の含有割合が上記範囲にある限り、後述する潤滑油基油（Ｙ）および添加剤から選ばれる少なくとも１種をさらに含有することができる。
【００１６】
＜エチレン・α−オレフィン共重合体（Ｘ）＞
前記共重合体（Ｘ）は、下記（ｘ−１）〜（ｘ−４）の特性を有する。
（ｘ−１）エチレン由来の構成単位の含有割合（以下「エチレン含量」ともいう。）が５０〜９９モル％の範囲である。
【００１７】
前記共重合体（Ｘ）におけるエチレン含量は、共重合体（Ｘ）を構成するモノマーに由来する構成単位の全量を１００モル％とした場合、通常５０〜９９モル％、好ましくは６０〜９８モル％、より好ましくは７０〜９５モル％、特に好ましくは８０〜９０モル％の範囲である。エチレン含量が前記範囲内であることにより、良好な粘度温度特性を有する潤滑油組成物を得ることができる。
【００１８】
（ｘ−２）α−オレフィンが炭素数３〜２０のオレフィンである。
前記炭素数３〜２０のα−オレフィンとしては、例えば、プロピレン、ブテン-１、ペンテン-１、ヘキセン-１、4-メチル-ペンテン-1、ヘプテン-１、オクテン-１、デセン-１、ウンデセン-１、ドデセン-１、トリデセン-１、テトラデセン-１、ペンタデセン-１、ヘキサデセン-１、ヘプタデセン-１、オクタデセン-１、ノナデセン-１、エイコセン-１等の炭素数３〜２０、好ましくは炭素数３〜１２のα−オレフィンが挙げられる。また、α−オレフィンは直鎖状であっても分岐を有してもよい。α−オレフィンの中では、潤滑油組成物に対して良好な低温粘度特性、剪断安定性、耐熱性を与える点で、プロピレン、ブテン-１、オクテン-１、4-メチル-ペンテン-1が好ましく、プロピレンが特に好ましい。共重合体（Ｘ）は、α−オレフィン由来の構成単位を１種または２種以上含有することができる。
【００１９】
前記共重合体（Ｘ）は、本発明の効果を損なわない範囲で、エチレンおよびα−オレフィン以外のその他のモノマーに由来する構成単位を含有してもよい。その他のモノマーとしては、例えば、環状オレフィン、芳香族ビニル化合物、共役ジエン、非共役ポリエン、官能ビニル化合物、水酸基含有オレフィン、ハロゲン化オレフィンが挙げられる。環状オレフィン、芳香族ビニル化合物、共役ジエン、非共役ポリエン、官能ビニル化合物、水酸基含有オレフィンおよびハロゲン化オレフィンとしては、例えば、特開２０１３−１６９６８５号公報の段落［００３５］〜［００４１］に記載の化合物が挙げられる。
【００２０】
（ｘ−３）示差走査型熱量計（ＤＳＣ）で測定した融点（Ｔｍ：℃）が６５℃〜８０℃である。
前記共重合体（Ｘ）の融点（Ｔｍ）は、６５〜８０℃、好ましくは６６〜７８℃である。前記共重合体（Ｘ）の融点が前記範囲内であることにより、粘度指数が高く、かつ、増粘性に優れた潤滑油用粘度調整剤を得ることができる。
【００２１】
（ｘ−４）１３５℃のデカリン中で測定した極限粘度［η］が０．０１〜５．０ｄｌ／ｇである。
共重合体（Ｘ）の前記極限粘度［η］は、通常０．０１〜５．０ｄｌ／ｇ、好ましくは０．０５〜４．０ｄｌ／ｇであり、より好ましくは０．１〜３．５ｄｌ／ｇ、さらに好ましくは０．３〜３．０ｄｌ／ｇ、特に好ましくは０．５〜２．５ｄｌ／ｇである。極限粘度［η］が前記範囲内であると、剪断安定性と低温特性とのバランスに優れた潤滑油組成物を得ることができる。
以上の物性の測定条件の詳細は、実施例欄に記載する。
【００２２】
＜共重合体（Ｘ）の製造方法＞
前記共重合体（Ｘ）は、例えば、バナジウム、ジルコニウム、チタニウム、ハフニウム等の遷移金属を含有する化合物と、有機アルミニウム化合物、有機アルミニウムオキシ化合物およびイオン化イオン性化合物から選ばれる少なくとも１種とを含む触媒を用いて、少なくともエチレンと炭素数３〜２０のα−オレフィンとを共重合することにより製造することができる。このとき用いられるオレフィン重合用触媒としては、例えば、国際公開第００／３４４２０号に記載されている触媒が挙げられる。
【００２３】
［潤滑油組成物］
本発明の潤滑油組成物は、上述した本発明の潤滑油用粘度調整剤と、潤滑油基油（Ｙ）とを含有する。
【００２４】
本発明の潤滑油組成物における共重合体（Ｘ）の含有割合は、組成物全量に対して、通常０．０１〜２０質量％、好ましくは０．０５〜１０質量％、より好ましくは０．１〜５質量％である。本発明では、共重合体（Ｘ）による組成物の粘度調整効果が高いため、共重合体（Ｘ）を少量使用するのみで充分な効果が得られ、したがってコストの観点から好ましい。
【００２５】
＜潤滑油基油（Ｙ）＞
本発明の潤滑油組成物に含まれる潤滑油基油（Ｙ）（以下「基油（Ｙ）」ともいう）は、通常、潤滑油基油として用いられるものを制限なく用いることができ、例えば、鉱物油、合成油が挙げられる。基油（Ｙ）としては、鉱物油と合成油とのブレンド物を用いてもよい。
【００２６】
基油（Ｙ）の１００℃における動粘度は、通常は１〜５０ｍｍ2／s、好ましくは１．５〜４０ｍｍ2／s、より好ましくは２〜３０ｍｍ2／sである。
鉱物油は、一般に脱ワックスなどの精製工程を経て用いられ、精製の仕方により幾つかの等級があり、本等級はＡＰＩ（米国石油協会）分類で規定される。一般に０．５〜１０質量％のワックス分を含む鉱物油が使用される。例えば、水素分解精製法で製造された流動点の低い、粘度指数の高い、イソパラフィンを主体とした組成の高度精製油を用いることができる。４０℃における動粘度が５〜２００ｍｍ2／ｓの鉱物油が一般的に使用される。
【００２７】
合成油としては、例えば、ポリ−α−オレフィン；ポリオールエステル、ジオクチルフタレート、ジオクチルセバケート等のジエステル類；ポリアルキレングリコールが挙げられる。
【００２８】
表１に各グループに分類される潤滑油基油の特性を示す。
【００２９】
【表１】
2020176178.tif 000002
【００３０】
表１におけるポリ−α−オレフィンは、炭素数１０以上のα−オレフィンを少なくとも原料モノマーとして重合して得られる炭化水素ポリマーであって、例えば、デセン-１を重合して得られるポリデセンが挙げられる。
【００３１】
基油（Ｙ）としては、グループ（II）またはグループ（III）に属する鉱物油、またはグループ（IV）に属するポリ−α−オレフィンが好ましい。グループ（Ｉ）よりもグループ（II）およびグループ（III）の方が、ワックス濃度が少ない傾向にある。グループ（II）またはグループ（III）に属する鉱物油の中でも、１００℃における動粘度が１〜５０ｍｍ2／ｓのものが好ましい。
【００３２】
基油（Ｙ）は１種または２種以上用いることができる。
本発明の潤滑油組成物における基油（Ｙ）の含有割合は、組成物全量に対して、通常５０質量％以上、好ましくは７０質量％以上、特に好ましくは８０質量％以上であり、基油（Ｙ）の含有割合の上限は共重合体（Ｘ）および添加剤の量により画定される。
【００３３】
＜他の成分（添加剤）＞
本発明の潤滑油組成物は、必要に応じて、上述した本発明の潤滑油用粘度調整剤および基油（Ｙ）以外の他の成分（添加剤）を含有してもよい。他の成分としては、例えば、他の粘度調整剤、流動点降下剤、清浄分散剤、摩耗防止剤、消泡剤、酸化防止剤、摩擦調整剤、色安定剤、錆止め剤、腐食防止剤および金属不活性化剤が挙げられる。
【００３４】
他の粘度調整剤としては、例えば、ポリイソブテン類、ポリメタクリル酸エステル類、ジエンポリマー類、ポリアルキルスチレン類、エステル化されたスチレン−無水マレイン酸共重合体類、アルケニルアレーン共役ジエン共重合体類およびポリオレフィン類、水添ＳＢＲ（スチレンブタジエンラバー）、ＳＥＢＳ（スチレンエチレンブチレンスチレンブロック共重合体）等のポリマーが挙げられる。分散性および／または酸化防止性も有する多機能性の粘度調整剤は公知であり、任意に用いてもよい。
【００３５】
流動点降下剤としては、例えば、アルキル化ナフタレン、（メタ）アクリル酸アルキルの（共）重合体、フマル酸アルキルと酢酸ビニルとの共重合体、α−オレフィンポリマー、α−オレフィンとスチレンとの共重合体が挙げられる。特に、（メタ）アクリル酸アルキルの（共）重合体が好ましい。
【００３６】
清浄分散剤としては、例えば、カルシウムスルフォネート、マグネシウムスルフォネート等のスルフォネート系；フィネート；サリチレート；コハク酸イミド；ベンジルアミンが挙げられる。潤滑油組成物中の典型的な清浄分散剤の量は、本発明の効果を奏する限り特に限定されないが、通常は１〜１０質量％、好ましくは１．５〜９．０質量％、より好ましくは２．０〜８．０質量％である。なお、該量はすべて、清浄分散剤において油がない（すなわち、それらに従来供給される希釈油がない）状態をベースにする。
【００３７】
磨耗防止剤としては、チオリン酸金属塩類、リン酸エステル類およびそれらの塩類、リン含有のカルボン酸類・エステル類・エーテル類・アミド類；ならびに亜リン酸塩などのようなリン含有磨耗防止剤／極圧剤が挙げられる。多くの場合、上記磨耗防止剤はジアルキルジチオリン酸亜鉛（ＺＤＰ）である。典型的なＺＤＰは、１１質量％のＰ（オイルがない状態をベースに算出）を含んでもよく、好適な量として０．０９〜０．８２質量％を挙げてもよい。リンを含まない磨耗防止剤としては、ホウ酸エステル類（ホウ酸エポキシド類を含む）、ジチオカルバメート化合物類、モリブデン含有化合物類、および硫化オレフィン類が挙げられる。また、リン含有磨耗防止剤は、本発明の効果を奏する限り特に限定されないが、通常は０．０１〜０．２質量％、好ましくは０．０１５〜０．１５質量％、より好ましくは０．０２〜０．１質量％、さらに好ましくは０．０２５〜０．０８質量％のリンを与える量で存在してもよい。
【００３８】
消泡剤としては、例えば、ジメチルシロキサン、シリカゲル分散体等のシリコン系消泡剤；アルコール、エステル系消泡剤が挙げられる。
酸化防止剤としては、例えば、２，６−ジ−ｔ−ブチル−４−メチルフェノール等のフェノール系酸化防止剤；ジオクチルジフェニルアミン等のアミン系酸化防止剤が挙げられる。酸化防止剤の典型的な量は、具体的な酸化防止剤およびその個々の有効性にもちろん依存するだろうが、例示的な合計量は、０．０１〜５質量％、好ましくは０．１５〜４．５質量％、より好ましくは０．２〜４質量％となり得る。さらに、１つ以上の酸化防止剤が存在していてもよく、これらの特定の組合せは、これらを組み合わせた全体の効果に対して、相乗的でなり得る。
【００３９】
錆止め剤としては、例えば、カルボン酸、カルボン酸塩、エステル、リン酸が挙げられる。腐食防止剤としては、例えば、ベンゾトリアゾール系、チアジアゾール系、イミダゾール系の化合物が挙げられる。
【００４０】
本発明の潤滑油組成物が添加剤を含有する場合、その含有割合は特に限定されないが、基油（Ｙ）と全添加剤との合計１００質量％に対して、添加剤の全含有割合は、通常０質量％超、好ましくは１質量％以上、より好ましくは３質量％以上であり；通常４０質量％以下、好ましくは３０質量％以下、より好ましくは２０質量％以下である。
【００４１】
＜潤滑油組成物の製造方法＞
本発明の潤滑油組成物は、従来公知の方法で、例えば共重合体（Ｘ）、必要に応じて基油（Ｙ）および添加剤を混合することにより調製することができる。共重合体（Ｘ）は、取扱いが容易なため、基油（Ｙ）中の濃縮物として任意に供給してもよい。
【００４２】
＜用途＞
本発明の潤滑油組成物は、例えば、自動車用エンジンオイル、大型車両用ディーゼルエンジン用の潤滑油、船舶用ディーゼルエンジン用の潤滑油、二行程機関用の潤滑油、自動変速装置用およびマニュアル変速機用の潤滑油、ギア潤滑油ならびにグリース等として、多様な公知の機械装置のいずれにも注油することができる。
【実施例】
【００４３】
以下、実施例に基づいて本発明をより具体的に説明するが、本発明はこれら実施例に何ら限定されるものではない。
［共重合体の物性］
実施例および比較例で用いた共重合体の各種物性は、以下のようにして測定した。
【００４４】
＜エチレン含量（Ｃ２含量）＞
エチレン・α−オレフィン共重合体におけるエチレン由来の構成単位の含有割合（モル％）については、1Ｈ−ＮＭＲスペクトルの解析により求めた。
【００４５】
（測定装置）
日本電子製ＥＣＸ４００Ｐ型核磁気共鳴装置
（測定条件）
測定核：1Ｈ（４００ＭＨｚ）、測定モード：シングルパルス、パルス幅：４５°（５．２５μ秒）、ポイント数：３２ｋ、測定範囲：２０ｐｐｍ（−４〜１６ｐｐｍ）、繰り返し時間：７．０秒、積算回数：６４回、測定溶媒：オルトジクロロベンゼン-d4、試料濃度：ｃａ．２０ｍｇ／０．６ｍＬ、測定温度：１２０℃、ウインドウ関数：ｅｘｐｏｎｅｎｔｉａｌ（ＢＦ：０．１２Ｈｚ）、ケミカルシフト基準：オルトジクロロベンゼン（７.１ｐｐｍ）。
【００４６】
＜融点（Ｔｍ）＞
エチレン・α−オレフィン共重合体の融点（Ｔｍ）は、インジウム標準にて較正したＳＩＩ社製示差走査型熱量計「Ｘ−ＤＳＣ７０００」を用いて、以下のようにして測定した。
【００４７】
アルミニウム製ＤＳＣパン上に測定サンプル（エチレン・α−オレフィン共重合体）を約１０ｍｇになるように秤量した。蓋をパンにクリンプして密閉雰囲気下とし、サンプルパンを得た。サンプルパンをＤＳＣセルに配置し、リファレンスとして空のアルミニウムパンを配置した。ＤＳＣセルを窒素雰囲気下にて３０℃（室温）から、２００℃まで１０℃／分で昇温した（第一昇温過程）。次いで、２００℃で５分間保持した後、１０℃／分で降温し、ＤＳＣセルを−４０℃まで冷却した（降温過程）。−４０℃で５分間保持した後、ＤＳＣセルを２００℃まで１０℃／分で昇温した（第二昇温過程）。
【００４８】
第二昇温過程で得られるエンタルピー曲線の融解ピークトップ温度を融点（Ｔｍ）とした。融解ピークが２個以上存在する場合には、最大のピーク温度をＴｍとして定義した。なお、融点が観測されないとは、非晶性であることを意味し、「None」と表記した。
【００４９】
＜極限粘度［η］（ｄｌ／ｇ）＞
共重合体の極限粘度［η］は、デカリン溶媒を用いて、１３５℃で測定した。具体的には、共重合体のパウダー、ペレットまたは樹脂塊約２０ｍｇをデカリン１５ｍｌに溶解し、１３５℃のオイルバス中で比粘度ηspを測定した。このデカリン溶液にデカリン溶媒を５ｍｌ追加して希釈後、同様にして比粘度ηspを測定した。この希釈操作をさらに２回繰り返し、濃度（Ｃ）を０に外挿した時のηsp／Ｃの値を極限粘度として求めた（下式参照）。
［η］＝ｌｉｍ（ηsp／Ｃ）  （Ｃ→０）
【００５０】
［潤滑油組成物の物性］
実施例および比較例で得られた潤滑油組成物の各種物性は、以下のようにして測定した。
【００５１】
＜動粘度（ＫＶ）＞
潤滑油組成物の４０℃および１００℃における動粘度（ＫＶ）を、ＡＳＴＭ  Ｄ４４５に基づいて測定するとともに、これらの結果を用いて、ＡＳＴＭ  Ｄ２２７０に基づいて粘度指数（ＶＩ）を算出した。
【００５２】
［エチレン・α−オレフィンの重合例］
以下、エチレン・α−オレフィン共重合体の重合例について記載する。なお、分析および潤滑油調整剤評価に必要な量を確保するため、複数回の重合を実施していることがある。
【００５３】
触媒として使用した下記式で示される化合物（１）は公知の方法によって合成した。
【００５４】
【化１】
2020176178.tif 000003
【００５５】
＜重合例１＞
充分に窒素置換した内容積１.０Ｌのガラス製反応器に、キシレン５００ｍｌを入れたのち、９０℃に昇温し６００ｒｐｍで重合器内部を撹拌しながら、エチレンおよびプロピレンをそれぞれ９９リットル／時および３６．０リットル／時で連続的に供給し、液相および気相を飽和させた。引き続きエチレンおよびプロピレンを連続的に供給した状態で、トリイソブチルアルミニウム（ｉＢｕ3Ａｌとも記す）のトルエン溶液（１．０ｍｏｌ／Ｌ）を６．０ｍＬ（６．０ｍｍｏｌ）、上記化合物（１）のトルエン溶液（０．０１０ｍｏｌ／Ｌ）を３．０ｍＬ（０．０３０ｍｍｏｌ）、ついでトリフェニルカルベニウムテトラキス（ペンタフルオロフェニル）ボレート（Ｐｈ3ＣＢ（Ｃ6Ｆ5）4とも記す）のトルエン溶液（０．０１０ｍｏｌ／Ｌ）を１２．０ｍＬ（０．１２０ｍｍｏｌ）加え、常圧下、９０℃で４０分間重合を行った。重合の停止は少量のイソブタノールを添加することにより行った。得られた重合反応液を、希塩酸で洗浄し、分液して得られた有機層を大量のメタノールに投入しエチレン・プロピレン共重合体を析出させた。ろ過により得られた該エチレン・プロピレン共重合体を１３０℃にて１０時間減圧乾燥させた。該エチレン・プロピレン共重合体の分析結果を表２に示す。
【００５６】
＜重合例２〜１１＞
表２に記載したとおりに重合条件を変更したこと以外は重合例１と同様に行った。
【００５７】
【表２】
2020176178.tif 000004
【００５８】
［実施例および比較例］
上記の重合例で得られたエチレン・α−オレフィン共重合体を潤滑油用粘度調整剤として用いて、潤滑油組成物を調製した。潤滑油組成物の１００℃における動粘度が８．０ｍｍ2／s程度になるように、エチレン・α−オレフィン共重合体の添加量を調整した。
【００５９】
配合組成は以下のとおりである。
ＡＰＩグループ（III）基油（「Ｙｕｂａｓｅ−４」、ＳＫ  Ｌｕｂｒｉｃａｎｔｓ社製、１００℃における動粘度：４．２１ｍｍ2／ｓ、粘度指数：１２３）
添加剤*：８．６４質量％
流動点降下剤：０．３質量％
（ポリメタクリレート「ルブラン１６５」、東邦化学工業社製）
エチレン・α−オレフィン共重合体：表３に示すとおり
合計  １００．０（質量％）
注（＊）  添加剤＝ＣａおよびＮａの過塩基性清浄剤、Ｎ含有分散剤、アミン性［ａｍｉｎｉｃ］およびフェノール性の酸化防止剤、ジアルキルジチオリン酸亜鉛類、摩擦調整剤、および消泡剤を含む従来のＧＦ−５用エンジン油用添加剤パッケージ。
【００６０】
評価結果を表３に示す。
【００６１】
【表３】
2020176178.tif 000005
【００６２】
表３に記載のとおり、実施例と比較例とを比較した場合、実施例は４０℃動粘度が低く、粘度指数が高い。